(57)【要約】  未知の電気負荷の照明要素の照明構成を監視するための、監視デバイス、及び、監視構成を使用するドライバが提供される。デューティサイクルのセットが、照明要素のサブセットを制御するスイッチに適用されることにより、所望の光出力を生成する。この所望のデューティサイクル設定を使用して、特に、個々のデューティサイクル周期内の電流プラトーレベルの変動を検出するために、個々のデューティサイクル周期に関する電流が監視される。これは、少なくとも電源ユニットと照明構成との間のケーブル抵抗を含めた、電気的特性又はパラメータを決定するために使用される。次いで、照明構成の消費電力が得られてもよい。このことは、負荷の性質及び負荷の消費電力を決定するために、照明要素のサブセットを個別に検証する必要性を回避する。
2021521616.tif 000002
【特許請求の範囲】
【請求項１】
未知の電気負荷の照明要素の照明構成を監視するための、監視デバイスであって、前記照明構成が、電源ユニットから来ているＤＣ電圧を前記照明構成に結合するためのスイッチ構成に関連付けられており、前記スイッチ構成が、スイッチのセットを含み、前記スイッチのそれぞれが、前記照明要素のサブセットに接続するためのものであり、前記監視デバイスは、
パルス幅変調を使用して前記スイッチ構成を制御するための制御信号を供給するための、コントローラであって、
デューティサイクルのセットを前記スイッチのセットに同時に適用することにより、ユーザ選択された光出力を生成し、
前記デューティサイクルのセットの個々のデューティサイクル周期内の複数の時間において電流及び電圧を監視することにより、前記デューティサイクル周期内の複数の電流プラトーを検出し、
検出された前記電流プラトー及び前記デューティサイクルのセットに基づいて、少なくとも前記電源ユニットと前記照明構成との間のケーブル抵抗及び前記電源ユニットの下流の消費電力を含めた、前記照明構成及び前記電源ユニットの電気的特性又はパラメータを決定し、
決定された前記電気的特性又はパラメータに基づいて、前記照明構成を制御するように適合されている、コントローラを備える、監視デバイス。
【請求項２】
前記電源ユニットと前記照明構成との間の前記ケーブル抵抗が、前記電源ユニットと照明構成ドライバとの間のケーブル抵抗を含み、及び／又は、前記電気的特性若しくはパラメータが、照明要素の各サブセットの直列抵抗を更に含む、請求項１に記載のデバイス。
【請求項３】
前記コントローラが、異なる電流レベルのセットの分析に基づいて、照明要素の各サブセットを通って流れる電流を決定するように適合されている、請求項１又は２に記載のデバイス。
【請求項４】
前記コントローラが、ユーザ設定の関数として、及び、前記決定された電気的特性又はパラメータの関数として、前記デューティサイクルを調節するように適合されている、請求項１乃至３のいずれか一項に記載のデバイス。
【請求項５】
前記コントローラが、始動段階において、
デューティサイクルの所望のセットの縮小バージョンである、デューティサイクルの第１のセットを適用して、個々のデューティサイクル周期の間、前記電流を監視し、
前記デューティサイクルのセットのスケーリングを漸進的に増大させるように適合されている、請求項１乃至４のいずれか一項に記載のデバイス。
【請求項６】
前記コントローラが、前記始動段階の後の監視段階において、前記電気的特性又はパラメータを決定するように適合されている、請求項５に記載のデバイス。
【請求項７】
前記コントローラが、前記電源ユニットによって供給される実際の電力を経時的に監視するように、及び、監視された前記実際の電力が、最大定格電力に関連する閾値を超過する場合に、前記始動段階及び／又は測定段階を再適用するように適合されている、請求項５又は６に記載のデバイス。
【請求項８】
前記コントローラが、実際の電力の変化を経時的に監視するように、並びに、経時的な変化に関連する補正係数を決定するように、並びに、前記補正係数が閾値に達する場合に、前記始動段階及び／又は測定段階を再適用するように適合されている、請求項５乃至７のいずれか一項に記載のデバイス。
【請求項９】
未知の電気負荷の照明要素の照明構成用の、ドライバであって、
ＤＣ電圧源と、
前記ＤＣ電圧源を前記照明構成に結合するためのスイッチ構成であって、スイッチのセットを含み、前記スイッチのそれぞれが、前記照明要素のサブセットに接続するためのものである、スイッチ構成と、
前記照明構成全体への電流を感知するための電流センサと、
請求項１乃至８のいずれか一項に記載の監視デバイスと、を備える、ドライバ。
【請求項１０】
照明装置であって、
請求項９に記載のドライバと、
前記ドライバによって駆動される照明構成であって、ユーザコンフィギュラブルである照明構成と、を備える、照明装置。
【請求項１１】
未知の電気負荷の照明要素の構成を使用して照明を供給するための、照明方法であって、
スイッチのセットを含み、前記スイッチのそれぞれが、前記照明要素のサブセットに接続するためのものである、スイッチ構成を使用して、ＤＣ電圧源を前記照明構成に結合するステップと、
デューティサイクルのセットを前記スイッチのセットに同時に適用することにより、ユーザ選択された光出力を生成するように、パルス幅変調を使用して前記スイッチ構成を制御するステップと、
前記デューティサイクルのセットの個々のデューティサイクル周期内の、前記照明構成全体に供給される電流及び電圧を監視することにより、前記デューティサイクル周期内の複数の電流プラトーを検出するステップと、
検出された前記電流プラトー及び前記デューティサイクルのセットに基づいて、少なくとも電源ユニットと前記照明構成との間のケーブル抵抗及び前記電源ユニットの下流の消費電力を含めた、前記照明構成及び前記電源ユニットの電気的特性又はパラメータを決定するステップと、
決定された前記電気的特性又はパラメータに基づいて、前記照明構成を制御するステップと、を含む、照明方法。
【請求項１２】
前記電源ユニットと前記照明構成との間のケーブル抵抗を決定するステップが、前記電源ユニットと照明構成ドライバとの間のケーブル抵抗を決定するステップを含み、及び／又は、前記電気的特性若しくはパラメータが、照明要素の各サブセットの直列抵抗を更に含む、請求項１１に記載の方法。
【請求項１３】
決定された前記負荷の前記消費電力、及び前記ドライバの負荷定格に基づいて、前記セットの各デューティサイクルのための最大デューティサイクルを設定するステップを含む、請求項１１又は１２に記載の方法。
【請求項１４】
始動段階の間に、
デューティサイクルの所望のセットの縮小バージョンである、デューティサイクルの第１のセットを適用して、個々のデューティサイクル周期の間、前記電流を監視するステップと、
前記デューティサイクルのセットのスケーリングを漸進的に増大させるステップと、
監視された前記電流の移動平均を導出するステップと、を含む、請求項１１乃至１３のいずれか一項に記載の方法。
【請求項１５】
コンピュータプログラムであって、前記コンピュータプログラムがコンピュータ上で実行されると、請求項１１乃至１４のいずれか一項に記載の方法を実施するように適合されているコンピュータプログラムコード手段を含む、コンピュータプログラム。
【発明の詳細な説明】
【技術分野】
【０００１】
本発明は、照明構成を監視するための監視デバイスに関し、特に、照明負荷が、例えばエンドユーザによってコンフィギュラブルであるために未知である場合の、監視デバイスに関する。その場合、監視は、照明構成の駆動の一部として使用されてもよく、それゆえ、コントローラ又はドライバの一部であってもよい。
【背景技術】
【０００２】
標準的なドライバ設計に種々の照明コンフィギュレーションを接続することが可能であることが望まれている。
【０００３】
負荷が変動し得る照明システムにおける拡張性の理由から、電流源アーキテクチャの代わりに電圧アーキテクチャを使用して稼働することが有益である。ＬＥＤモジュールなどの照明構成は、電圧バスと並列に構成されており、使用されるＬＥＤに関して必要とされる電流を局所的に生成する。
【０００４】
広く使用されているそのようなシステムの一例は、ＬＥＤストリップである。ＬＥＤストリップ又はＬＥＤテープは、数メートルの長さとすることが可能なフレキシブル基板上にＬＥＤが配置されている、線形ＬＥＤシステムである。管状ＬＥＤ（tubular LED；ＴＬＥＤ）などの、剛性の線形システムとは対照的に、この可撓性により、エンドユーザは、ストリップを非平坦表面上に適用すること、又は、角度をつけてストリップを（複数回）屈曲させることが可能となる。更には、ＬＥＤストリップのための専用のソケットの設置は必要とされず、ストリップは、適切な長さに延長及び切断されることができる。この設置の容易性のために、ＬＥＤストリップは、消費者層において、他の線形システムに勝る市場占有率を獲得することが期待されている。
【０００５】
当然ながら、ＬＥＤストリップの他にも、トラック照明又は埋め込み型スポット照明などの、エンドユーザ変更可能な負荷を有する他の可能な照明システムが存在する。
【０００６】
典型的なＬＥＤストリップアーキテクチャは、図１に照明ストリップ２として示されている。照明システム全体は、ＡＣ幹線入力電圧１２を、安全なＤＣ電圧出力、例えば１２Ｖ若しくは２４Ｖの、又は任意の他の安全なＤＣ電圧に変換する、ＡＣ／ＤＣ電圧源１０から成る。多くの場合、エンドユーザによって所望される色点及び調光レベルを、受信及び適用することが可能な、コントローラ１４が追加されている。この制御は、典型的には、コントローラ１４によってＰＷＭ制御されるスイッチ１６を、照明ストリップ２と直列に置くことによって得られる。
【０００７】
スイッチ１６は、スイッチのセットを形成しており、スイッチのそれぞれは、照明要素のサブセット（「チャネル」として知られるもの）に接続するためのものである。
【０００８】
照明ストリップは、最終用途の要件に適合するように、追加的ストリップ４によって延長されてもよく、又は、より短い長さに切断される場合すらある。
【０００９】
そのような電圧ベースの照明システムの欠点は、照明負荷が、電源の定格電力よりも大きい電流を引き込む可能性がある点である。エンドユーザ、又は、照明器具を設置する顧客が、同じ電源にＬＥＤ負荷を自由に追加することができ、電源ユニットの過負荷の場合に、システムが稼働し続けることが可能であることを必要とする場合には、取り付けられた照明負荷を、システムが検証することが望ましい。
【００１０】
この検証は、システム内の異なるチャネルを１つずつオンに切り替えて、当該電流寄与を測定することによって行われることができる。しかしながら、このことは、視覚的な点滅をもたらす。更には、急激な負荷ステップは、電源の電圧ディップをもたらす恐れがある。一部の電圧ベースのシステムでは、電圧のディップは電流のディップに転化し、それゆえ、電流が良好に検証されず、その場合、実際の電力が正確に推定されない。これは、電圧と電流とが同時に測定される場合にのみ可能である。例えば２４Ｖの一定のＤＣ電圧を有していない間に（ＤＣ電圧が２４Ｖの固定値であると仮定して）電流を測定することは、測定誤差を引き起こす。
【発明の概要】
【発明が解決しようとする課題】
【００１１】
それゆえ、これらの欠点を伴わずに照明負荷が検証されることを可能にする、ドライバが必要とされている。
【００１２】
一部の設計では、ドライバアーキテクチャは、別個の電源ユニット（power supply unit；ＰＳＵ）、変調器（すなわち、負荷ドライバ）、及びＬＥＤ負荷を備える。変調器は、ＰＳＵから離れて配置されてもよく、ＬＥＤ負荷は、変調器から離れて配置されてもよい。例えば、１０ｍ超のケーブルが存在してもよい。無視できない損失がケーブルにおいて存在し、当該損失もまた、電源ユニットの定格電力を超過することを回避するための、好適な駆動レベルを決定する際に、考慮される必要がある。
【課題を解決するための手段】
【００１３】
本発明は、請求項によって定義される。
【００１４】
本発明の一態様による実施例によれば、未知の電気負荷の照明要素の照明構成を監視するための、監視デバイスであって、照明構成が、電源ユニットに由来するＤＣ電圧を照明構成に結合するためのスイッチ構成に関連付けられており、スイッチ構成が、スイッチのセットを含み、スイッチのそれぞれが、照明要素のサブセットに接続するためのものであり、監視デバイスは、
パルス幅変調を使用してスイッチ構成を制御するための制御信号を提供するための、コントローラであって、
−デューティサイクルのセットをスイッチのセットに同時に適用することにより、ユーザ選択された光出力を生成し、
−個々のデューティサイクル周期内の複数の時間において電流を監視することにより、デューティサイクル周期内の複数の電流プラトーを検出し、
−検出された電流プラトー及びデューティサイクルのセットに基づいて、少なくとも電源ユニットと照明構成との間のケーブル抵抗、及び電源ユニットの下流の消費電力を含めた、照明構成及び電源ユニットの電気的特性若しくはパラメータを決定し、
−決定された電気的特性又はパラメータに基づいて、照明構成を制御するように適合されている、コントローラを備える、監視デバイスが提供される。
【００１５】
この監視デバイスは、電源ユニットと照明構成との間のケーブル抵抗を少なくとも使用して、負荷の特性を決定することが可能であり、それにより、また照明要素の各サブセットを個別に駆動することもなく、消費電力が決定されることができる。ケーブル抵抗は、電源ユニットの下流の消費電力の決定の際に使用される。
【００１６】
次いで、これらの特性又はパラメータは、照明構成を制御するために使用される。全体的な電流は、ユーザ定義された所望のレベルに設定されている照明要素の全てで監視される。個々のデューティサイク周期の時間スケールで監視することによって、接続されているドライバは、ＤＣ電圧源の自動遮断を防止するために十分に素早く、検出された過負荷に反応することができる。照明要素の異なるサブセットは、典型的には、異なるデューティサイクルを有することになるため、各デューティサイクル周期内には、複数の電流プラトーが生じることになる。それゆえ、全体的なデューティサイクル周期内の異なる時間において、異なる電流の組み合わせが引き込まれることにより、異なる電流プラトーを生じさせることになる。全体的なデューティサイクル周期は、照明要素のサブセットの全てに関して同じである。プラトー測定は、いずれの視覚的アーチファクトも伴わずに、平均電流（又は、電力）が決定されることを可能にする。プラトーデータはまた、各チャネルの寄与を決定するためにも使用されることができる。それゆえ、システムが、或る色点から別の色点への遷移を有する場合には、例えば、各チャネルが引き込む電流及び新たなデューティサイクルの知識に基づいて、過電力イベントが発生するか否かが予測されることができる。ユーザ選択された出力とは、例えば、色及び輝度である。
【００１７】
ＤＣ電圧とは、電流駆動ではなく電圧駆動が使用されることを意味し、例えば、ＤＣ電圧は、ＡＣ／ＤＣコンバータから受信される。
【００１８】
電源ユニットと照明構成との間の（例えば、電源ユニットと照明ドライバとの間の）ケーブル抵抗を少なくとも考慮することによって、電源ユニットの下流の全体的な消費電力が、より正確に決定されてもよい。次いで、所望のデューティサイクルで照明構成を動作させるために、電源ユニットによって供給されることを必要とされる電力が、正確に決定されることができ、それにより、電源ユニットから過剰な電力が引き込まれないこと、及び／又は、デューティサイクル設定が所望の光の色出力と正確に合致することが、確実にされることができる。
【００１９】
電気的特性又はパラメータは、電源ユニットと照明構成ドライバとの間のケーブル抵抗を含み得る。
【００２０】
電気的特性又はパラメータは、照明要素の各サブセットの直列抵抗を更に含み得る。
【００２１】
このことは、消費電力が更により正確に決定されることを可能にする。
【００２２】
これらの電気的特性又はパラメータは、デバイスからの出力として提供される必要がない点に留意されたい。その代わりに、それらは、電源ユニットからの出力電力をより正確に決定する際に使用される、中間値である。
【００２３】
消費電力は、照明要素の異なるサブセットに適用されている、既知のデューティサイクルに基づいて決定されてもよい。このことは、単一の最大電流の知識だけではなく、それぞれが、駆動されている照明要素の異なるサブセットの電流の組み合わせである、複数の電流プラトーレベルの知識も必要とする。
【００２４】
消費電力の決定は、照明構成の電源投入時に実行されてもよい。それはまた、デューティサイクルの新たなセット（すなわち、新たな調光レベル又は色点）が適用されることになる度に実行されてもよい。それはまた、例えば、測定された実際の消費電力が、決定された予想消費電力から逸脱する場合には、新たな決定が適切であり得ることを示す変更が検出される場合は常に、実行されてもよい。
【００２５】
デューティサイクル周期内の複数の時点で電流を監視することによって、複数のプラトーが観察されることができる。照明要素の異なるサブセットが、異なるデューティサイクルを有する場合、それぞれの個々のデューティサイクル周期内に、異なる電流の流れが存在する。
【００２６】
照明要素の各サブセットの、総電力への寄与が識別されることができるように、可能な限り多くのプラトー値を測定することが好ましい。
【００２７】
例えば、３チャネルシステムでは、３つの未知の寄与が存在することになる。異なるＬＥＤチャネルの寄与率の知識に基づいて、電流が分解されることを可能にするためには、３つの等式が必要とされる。コントローラは、ＬＥＤ構成からの情報を有することになるが、これは、特定の色点を得るための所望のデューティサイクル比を算出することが可能であるためには、この情報が必要とされるためである。それゆえ、異なるチャネル間の公称電流比が導出されることを可能にする較正設定が、予め利用可能である。
【００２８】
測定されることが可能なプラトーが多いほど、電力監視結果がより正確となる。
【００２９】
監視デバイスは、既存のドライバと照明構成との間に設けられてもよく、その場合、既存のドライバは、スイッチ構成、及び更にコントローラを含む。その場合、監視デバイスは、既存のドライバコントローラが使用される方式を変更するための、ソフトウェアアップグレードとして提供されてもよい。あるいは、監視デバイスは、新たなドライバの一部として実装されてもよい。
【００３０】
コントローラは、異なる電流プラトーレベルのセットの分析に基づいて、照明要素の各サブセットを通って流れる電流を決定するように適合されてもよい。コントローラは、十分な数の異なる電流プラトー値が測定されている場合に、このことを行うことが可能となる。
【００３１】
それゆえ、電流プラトーを検出することによって、照明要素の個々のサブセットを通る電流を抽出するために、適用されたデューティサイクルの知識を使用して、種々の電流読み取り値が解釈されてもよい。それゆえ、サブセットを通る個々の電流を実際に測定することなく、総消費電力が得られてもよい。このことは基本的に、十分な電流測定値が得られた時点で、連立方程式のセットを解くことによって達成される。
【００３２】
コントローラは、決定された負荷の消費電力、及びドライバの負荷定格に基づいて、当該セットの各デューティサイクルに関する最大デューティサイクルを設定するように適合されてもよい。それゆえ、照明負荷に供給される電力は、駆動信号のデューティサイクルを縮小することによって、ただし、典型的には、異なるチャネル間の所望のデューティサイクル比を維持することによって、ドライバの最大電力送達を下回るように保たれる。
【００３３】
コントローラは、
連続的な個々のデューティサイクル周期のセットに関する電流を監視し、
連続的なデューティサイクル周期のセットにわたる、検出された各プラトーに関する平均電流を決定し、
平均電流から消費電力を決定するように適合されてもよい。
【００３４】
複数のデューティサイクル周期にわたる平均電流レベルを取得することによって、電流感知精度が改善される。
【００３５】
コントローラは、始動段階において、
デューティサイクルの所望のセットの縮小バージョンである、デューティサイクルの第１のセットを適用して、個々のデューティサイクル周期に関する電流を監視し、
デューティサイクルのセットのスケーリングを漸進的に増大させるように適合されてもよい。
【００３６】
複数のデューティサイクルから測定値を取得する場合、測定値が収集されている間に、電力が過度に高くなり得るリスクが存在する。デューティサイクルを漸進的に拡大することによって、移動平均が取得されることができ、移動平均電流が最大電力送達を超過するレベルに接近しつつある場合が、検出されることができる。電圧グリッチの間に、電圧及び電流の双方を測定して、より低い電圧から通常の電圧レベルに電圧が上昇する場合に、電流がどのようなものになるかを予測することもまた可能である。
【００３７】
コントローラは、始動段階の後の監視段階において、電気的特性又はパラメータを決定するように適合されてもよい。
【００３８】
それゆえ、始動段階は、電力を増強して、電源ユニット電力が超過されないことを確実にするために使用される。その後、監視段階において、電気的特性及びパラメータが得られる。
【００３９】
コントローラは、実際の電力を経時的に監視するように、及び、監視された実際の電力が、最大定格電力に関連する閾値を超過する場合に、始動段階及び／又は測定段階を再適用するように適合されてもよい。このようにして、モデルが再計算されることを必要とする、コンフィギュレーション変更が検出されてもよい。
【００４０】
コントローラは、実際の電力の変化を経時的に監視するように、及び、経時的な変化に関連する補正係数を決定するように、及び、補正係数が閾値に達する場合に、始動段階及び／又は測定段階を再適用するように適合されてもよい。この補正係数は、例えば、経年変化又は軽微な負荷変動を補償する。
【００４１】
拡張態様では、コントローラは、ＤＣ電圧を監視するように、及び、ＤＣ電圧の変化に応答してデューティサイクルのセットを調節することにより、照明構成からの一定の光出力束を維持するように、更に適合されてもよい。この手法は、電圧グリッチ又は他のアーチファクトが検出される場合に、光出力を変更するために使用されてもよく、それにより、結果として生じる光出力の変化は、視覚的に感知されにくくされる。
【００４２】
本発明はまた、未知の電気負荷の照明要素の照明構成用の、ドライバであって、
ＤＣ電圧源と、
ＤＣ電圧源を照明構成に結合するためのスイッチ構成であって、スイッチのセットを含み、スイッチのそれぞれが、照明要素のサブセットに接続するためのものである、スイッチ構成と、
照明構成全体への電流を感知するための電流センサと、
上記で定義されたような監視装置とを備える、ドライバも提供する。
【００４３】
これは、監視デバイスを組み込む照明構成ドライバを定義するものである。
【００４４】
本発明はまた、照明装置であって、
上記で定義されたようなドライバと、
ドライバによって駆動される照明構成であって、ユーザコンフィギュラブルである照明構成とを備える、照明装置も提供する。
【００４５】
このユーザコンフィギュレーションとは、照明構成によって提示される負荷が、ドライバには知られていないことを意味する。
【００４６】
本発明の別の態様によれば、未知の電気負荷の照明要素の構成を使用して照明を提供するための、照明方法であって、
スイッチのセットを含み、スイッチのそれぞれが、照明要素のサブセットに接続するためのものである、スイッチ構成を使用して、ＤＣ電圧源を照明構成に結合するステップと、
デューティサイクルのセットをスイッチのセットに同時に適用することにより、ユーザ選択された光出力を生成するように、パルス幅変調を使用してスイッチ構成を制御するステップと、
デューティサイクル周期内の複数の電流プラトーを検出するために、個々のデューティサイクル周期内の、照明構成全体に供給される電流を監視するステップと、
検出された電流プラトー及びデューティサイクルのセットに基づいて、少なくとも電源ユニットと照明構成との間のケーブル抵抗、及び電源ユニットの下流の消費電力を含めた、照明構成及び電源ユニットの電気的特性若しくはパラメータを決定するステップと、
決定された電気的特性又はパラメータに基づいて、照明構成を制御するステップとを含む、照明方法が提供される。
【００４７】
この方法は、照明構成に送達される全体的な電流のみを使用して、消費電力を導出するものであり、次いで、その消費電力が、照明構成を制御するために使用されてもよい。消費電力の推定は、少なくともケーブル抵抗を決定することによって、より正確に実施される。
【００４８】
電源ユニットと照明構成との間のケーブル抵抗を決定するステップは、電源ユニットと照明構成ドライバとの間のケーブル抵抗を決定するステップを含み得る。
【００４９】
電気的特性又はパラメータは、照明要素の各サブセットの直列抵抗を更に含み得る。
【００５０】
本方法は、異なる電流レベルのセットの分析に基づいて、照明要素の各サブセットを通って流れる電流を決定するステップを含み得る。
【００５１】
決定された負荷の消費電力、及びドライバの負荷定格に基づいて、例えば、最大デューティサイクルが、当該セットの各デューティサイクルに関して設定されてもよい。
【００５２】
本方法は、
連続的な個々のデューティサイクル周期のセットに関する電流を監視するステップと、
連続的なデューティサイクル周期のセットにわたる、各プラトーに関する平均電流を決定するステップと、
平均電流から消費電力を決定するステップとを含み得る。
【００５３】
この平均化の手法は、より正確な読み取り値を与える。
【００５４】
ドライバがオンにされた直後の過負荷を防止するために、本方法は、始動段階において、
デューティサイクルの所望のセットの縮小バージョンである、デューティサイクルの第１のセットを適用して、個々のデューティサイクル周期に関する電流を監視するステップと、
デューティサイクルのセットのスケーリングを漸進的に増大させるステップと、
監視された電流の移動平均を導出するステップとを含み得る。
【００５５】
これらの電気的特性又はパラメータは、照明要素のサブセットの光出力性能が、デューティサイクルコマンドの所与のセットに応答して、より正確に決定されることを可能にし、全体的な消費電力が、より正確に決定されることを可能にする。
【００５６】
本方法は、電源ユニットによって送達される実際の電力を経時的に監視するステップと、監視された実際の電力が、最大定格電力に関連する閾値を超過する場合に、始動段階及び／又は測定段階を再適用するステップとを含み得る。
【００５７】
本方法はまた、例えば電圧グリッチ又は他の電圧アーチファクトを検出するために、ＤＣ電圧を測定するステップも含み得る。このようにして、過負荷状況が検出されることができる。監視されたＤＣ電圧はまた、ＤＣ電圧の変化に応答してデューティサイクルのセットを調節することにより、照明構成からの一定の光出力束を維持するために使用されてもよい。
【００５８】
本発明は、少なくとも部分的にソフトウェアによって実装されてもよい。
【００５９】
本発明のこれらの態様及び他の態様は、以降で説明される実施形態から明らかとなり、当該実施形態を参照して解明されるであろう。
【図面の簡単な説明】
【００６０】
ここで、本発明の実施例が、添付図面を参照して詳細に説明される。
【図１】典型的なＬＥＤストリップアーキテクチャを示す。
【図２】本発明に従ってコンフィギュレーション及び動作され得る照明システムの電気回路図を示す。
【図３】照明要素の異なるサブセットを通って流れる電流を測定するための、１つの可能な方法を示す。
【図４】３つのチャネルを有するシステムに関する、特定の色点及び調光レベルの典型的な波形を示す。
【図５】本発明のシステムにおいて使用される手法を図式的に示す。
【図６】制御方法の一実施例を示すフローチャートである。
【図７】長いケーブルが存在し得る場合を示すための照明システムの要素を示す。
【図８】図７のシステムの電気構成要素を示す。
【図９】電気的特性が得られる監視段階を含めるための、図５の手法に対する修正形態を示す。
【図１０】１回のデューティサイクル周期の間の電圧及び電流測定値を示す。
【図１１】電力推定値を決定する方法を示す。
【図１２】始動段階を再適用するべき場合を決定するための方法を示す。
【図１３】変動する供給電圧の問題を示すために使用される。
【図１４】補正メカニズムを段階的シーケンスとして示す。
【発明を実施するための形態】
【００６１】
本発明は、未知の電気負荷の照明要素の照明構成を監視するための、監視デバイス、及び、監視構成を使用するドライバを提供する。デューティサイクルのセットが、照明要素のサブセットを制御するスイッチに適用されることにより、所望の（すなわち、ユーザによって所望され、ユーザ入力として適用される）光出力を生成する。この所望のデューティサイクル設定を使用して、特に、個々のデューティサイクル周期内の電流プラトーレベルの変動を検出するために、個々のデューティサイクル周期に関する電流が監視される。これは、少なくとも電源ユニットと照明構成との間のケーブル抵抗を含めた、電気的特性を決定するために使用される。次いで、照明構成（又は、より一般的には、電源ユニットの下流の負荷）の消費電力の正確な推定値が得られてもよい。このことは、負荷の性質及び負荷の消費電力を決定するために、照明要素のサブセットを個別に検証する必要性を回避する。
【００６２】
図２は、５つの異なる色を有するＬＥＤストリップの電気回路図を示す。ＬＥＤの各ストリング２ａ〜２ｅは、同じ色のＬＥＤのセットであり、ストリングは、１２Ｖなどの同じＤＣ電圧源に接続する。５つの異なるストリングタイプ、及び各タイプの複数のストリングが存在する。或る１つのタイプ（すなわち、色）の全てのＬＥＤが、照明要素のサブセットを形成する。各サブセットは、関連するスイッチをスイッチのセット１６内に有し、それにより、サブセット内の全てのＬＥＤは、コントローラ１４からのパルス幅変調（pulse width modulation；ＰＷＭ）信号を使用して、同じデューティサイクルで制御される。
【００６３】
供給電圧に応じて、いくつものＬＥＤが、電流制限抵抗器Ｒ、又は電流源若しくは電流シンクと直列に置かれている。
【００６４】
電圧源電源が使用されるため、ＬＥＤストリングは、ストリップの長さにわたって並列に配置されている。ストリップは、ＬＥＤストリングを追加又は除去することによって、切断及び延長されることができる。図２はまた、流れている全電流を測定するために、電流感知抵抗器２０が使用されることも示す。
【００６５】
ＬＥＤストリップは、典型的には、特定の最大電力を送達することが可能な電圧源を伴う。各ＬＥＤストリップ延長部は、特定の負荷を表し、いずれの対策も講じることなく、ＬＥＤストリップは、当該負荷が電源によってサポートされることが可能な長さまでのみ、延長されることができる。サポートされるよりも多くの負荷が設置される場合には、電源が、またそれゆえＬＥＤストリップ製品全体が、機能停止することになり、すなわち、出力電圧が低減され、システムは、最終的に稼働停止することになる。
【００６６】
それゆえ、この電力制限問題の結果として、延長可能なＬＥＤストリップを提供することは難題である。殆どのＬＥＤストリップ製品には、典型的には、付属しているストリップの長さまでのみ電力を供給することが可能な、電源が設けられている。電源を過大設計することは、延長が所望されない場合には、エンドユーザによって使用されることのない製品に関する余計なコストを導入することになる。より長いストリップが依然として所望される場合には、電源が交換される必要があり、又は、完全に新規のＬＥＤストリップが設置されなければならない。
【００６７】
ＬＥＤストリップにおいて使用されるようなバス電圧アーキテクチャの原理はまた、照明器具において使用されることになる構築ブロックを規定するために使用されることも可能である。このことは特に、全てが同じ方式で挙動する複数の光点を有する、照明器具の場合に有益である。その場合、複数の光点に対処するために必要とされるのは、単一の電源及びコントローラのみであり、このことは、通信モジュール、電源、及びＬＥＤモジュールからそれぞれが成るランプを有する、照明器具を備えることと比較して、コストの削減となる。
【００６８】
照明器具の見た目と使い勝手の魅力は、極めて個人的であるため、照明器具の見た目と使い勝手の多様性は、典型的には非常に大きいが、その一方で、照明器具のタイプごとの生産量は少ない。それゆえ、電子構築ブロック（電源、通信モジュール、ＬＥＤモジュール）を、異なる照明器具のタイプにわたって、可能な限り多く適用することが可能であることが望ましい。実際に、電源及び通信モジュールは、多くの異なる照明器具に適用されることができると予見されている。多様性は、ＬＥＤモジュールにおいて生じるものと予想される。この多様性の理由は、必要とされる光点のサイズ、作り出されることが可能な光束出力及び色域（すなわち、フルカラー、調整可能な白色光、固定された白色）にある。
【００６９】
異なるＬＥＤ基板は、ＬＥＤを適切に制御するために、コントローラ内のソフトウェアにおいて異なる設定を必要とする。ソフトウェアにおける多様性は、良好な色一貫性を確実にするように、色点を正確に計算するために必要とされる、種々のＬＥＤパラメータを含む。主要な色点及び光束に加えて、熱放散及び熱抵抗のような熱パラメータもまた、ＬＥＤのジャンクション温度、またそれゆえ、当該温度におけるＬＥＤの光束及び色点を計算するために重要である。
【００７０】
電子モジュールが、電子機器及びソフトウェアの知識に乏しい照明器具メーカーに供給される場合には、一貫した色のモジュールを得るようにソフトウェアをコンフィギュレーションすることは、極めて困難である。また、上記のＬＥＤストリップの例と同様に、電源がサポートするには過度に多くのＬＥＤモジュールが、照明器具内に設置されることにより、機能することのない照明器具をもたらす恐れもある。
【００７１】
それゆえ、ユーザコンフィギュラブルな照明負荷を電源に提供することが可能であることの利益は、モジュール式照明器具設計並びに照明ストリップの双方に適用される。
【００７２】
電源の能力をＬＥＤ負荷が超過していることを（エンドユーザ又は照明器具メーカーによって）検出するためには、１つの手法として、製品が、給電される度にＬＥＤ負荷を検証することである。
【００７３】
図２の回路が、この目的に関して使用されてもよい。特に、感知抵抗器２０は、ＬＥＤ負荷によって引き込まれた電流が、コントローラ１４にフィードバックされることを意味する。電源がサポートすることが可能な負荷よりも、設置されているＬＥＤの負荷が大きいことが可能であるため、ＬＥＤによって引き込まれる電流の測定は、迅速に実行されなければならないが、これは、典型的なＤＣ電圧源内のコンデンサが、安定動作に関して指定されているものよりもよりも何倍も高い、短い電流パルスのみをサポートすることが可能であるためである。
【００７４】
このことは、コントローラ回路が、コントローラによって生成されたＰＷＭ信号に素早く反応することが可能でなければならないことを意味する。
【００７５】
この問題は、図３を参照して説明される。図３は、照明要素の５つのサブセットに順番に印加された駆動信号３０を示し、電流センサ抵抗器２０にわたって測定された電流が、プロット３２として示されている。矢印３４によって示される瞬間での、電流レベルのサンプルが取得される。
【００７６】
電源から過剰な電力を引き込むことがないように、パルスの印加と、安定した応答プラトー値の読み出しとの間の時間は、短くするべきである。
【００７７】
各プラトー値は、或る１つの特定のスイッチに接続されている全てのＬＥＤによって引き込まれた全電流、すなわち、同じタイプの並列分岐の全てにおける電流の合計を表している。それゆえ、各プラトー値は、照明要素の当該サブセットによって引き込まれた総電力に関連している。短いパルスに起因して、この電流プラトーの電流は、電源が安定動作の下で送達することが可能な最大電流よりも、何倍も高くなり得る。
【００７８】
図４は、３つのチャネルを有するシステムに関する、特定の色点及び調光レベルの典型的な波形を示す。各チャネルは、当該固有のデューティサイクル（ＤＣｉ）と、当該固有の電流寄与（Ｉｉ）とを有する。
【００７９】
ＤＣｉは、チャネルｉのデューティサイクルであり、Ｉｉは、電源投入時に導出されたチャネルｉの電流寄与である。
【００８０】
チャネルごとの電流寄与が既知である場合、通常動作において、ソフトウェアは、以下の式に従って、特定の色点及び調光レベルにおいてＬＥＤ負荷から引き込まれる電力を算出することができる。
Ｐｃａｌｃ＝ＶＤＣΣＤＣｉＩｉ      （１）
【００８１】
それゆえ、電力は、個々の（照明要素のサブセットごとの）電流寄与（負荷の性質に依存するため既知ではないもの）、及び個々の（照明要素のサブセットごとの）デューティサイクル（既知であるもの）の双方に関連している。それゆえ、デューティサイクル周期（すなわち、０〜Ｔの時間）内での単一の電流測定値は、十分な情報を与えるものではない。このことが、各電流レベルの別個の測定値が必要とされる理由である。本質的には、図４に示されるプロットの面積が算出されることになる。
【００８２】
算出された電力が、電源の定格電力よりも大きい場合には、ＤＣｉの全ての値の低減が、以下に従って適用されてもよい。
ＤＣｒｅｄｕｃｔｉｏｎ＝Ｐｒａｔｅｄ／Ｐｃａｌｃ      （２）
【００８３】
このようにして、各チャネルのデューティサイクルは、定格電力が超えられないことを確実にするように低減され、電源が落ちることはない。
【００８４】
しかしながら、この手法には欠点が存在する。
【００８５】
印加されたパルス列は、人間の眼に視認可能な点滅を生じさせることにより、顧客の不満をもたらす恐れがある。パルス列が必要とされる理由は、照明要素の各サブセットが順番に検証されるためである。電源ユニットの電源投入直後の、これらのパルス列などの著しい負荷の急激な印加は、電源ユニットの電圧降下をもたらし得る。それゆえ、パルス列が、公称電圧よりも低い電圧で測定されるリスクが存在し、これは、誤った負荷決定をもたらす恐れがある。このことは、負荷決定機能を、電源の堅牢性に大きく依存させることになり、コストを導入することになる。
【００８６】
例えば、高力率の単段電源は、急激な負荷印加の場合に、電圧降下の影響を受けやすいことが知られている。このことは、電源に回復時間を与えるために、パルス持続時間を増大させることによって解決されることが可能であるが、これは、より顕著な点滅をもたらすのみとなる。
【００８７】
本発明は、視認可能な点滅を伴わず、かつ大きい負荷の急速な印加を回避する、始動時の負荷決定のための代替的手順を利用する。更には、当該手順は、電気的特性、特に、照明構成の電気的特性と、電圧源１０、コントローラ１２、及び照明ユニット２（図１）の間などの、システム全体内の接続の電気的特性とを決定するために使用される。この情報は、より正確な負荷の推定を実施するために使用されてもよい。
【００８８】
接続の電気的特性を考慮に入れない、基本的な負荷決定機能が最初に説明される。
【００８９】
当該手法は、図４に示されるように、異なるチャネルの異なる寄与を組み合わせて、意図された色点を有して直ちにライトを始動させることに基づく。異なるチャネルのデューティサイクルは既知であるため、異なる電流プラトー値の高さの測定値が、上記の式（１）に従って極めて正確な電力の決定を与えるために使用される。
【００９０】
それゆえ、０〜Ｔのデューティサイクル周期内で、電流測定のセットが行われる。測定タイミングのセット４０が、図４に示されている。
【００９１】
デューティサイクル周期内で、数十個の測定値が取得されてもよく、例えば、１ｍｓ（１ｋＨｚ）の周期当たり１２０個のサンプルが取得されてもよい。
【００９２】
上述のように、測定の間の電力が、電源の定格電力よりも大きい場合には、全てのデューティサイクルが、再び調節されることができる。
【００９３】
当該手法は、コントローラ１４によって提供される異なる機能を本質的に有する、図２に示されるアーキテクチャを使用して実施されることができる。それゆえ、当該手法は、コントローラ１４において使用するための、異なるソフトウェアソリューションとして実装されてもよい。
【００９４】
ドライバは、この場合もまた、未知の電気負荷の照明要素の照明構成２に関するものである。ＤＣ電圧源１０は、スイッチ構成１６によって照明構成２に結合されている。スイッチ構成は、スイッチのセットを含み、スイッチのそれぞれは、照明要素のサブセット２ａ、２ｂ、２ｃ、２ｄ、２ｅに接続するためのものである。電流センサ２０は、照明構成全体への電流を感知するためのものであり、コントローラ１４が、パルス幅変調を使用してスイッチ構成を制御する。
【００９５】
デューティサイクルのセットが、スイッチのセットに適用されることにより、所望の光出力を生成する。個々のデューティサイクル周期に関して、プラトー電流が感知され、それにより、複数の電流プラトーが観察されてもよく、次いで、照明構成の消費電力が得られる。このことにより、照明要素の各サブセットを個別に駆動することが回避される。監視は、個々のデューティサイクル周期の間に行われ、それにより、ドライバは、ＤＣ電圧源の自動遮断を防止するために十分に素早く、検出された過負荷に反応することができる。ＤＣ電圧もまた、過負荷条件が決定されることを可能にするために監視される。
【００９６】
「所望の光出力」とは、典型的には、ユーザ選択された出力色及び輝度である。これは、監視ルーチンの一部として「所望されている」のではなく、監視プロセスとは無関係に選択されている。
【００９７】
上述のように、照明要素の異なるサブセットに関連する、複数の電流プラトーレベルの知識が必要とされる。これらのプラトーは、全体的なデューティサイクル周期内に、複数の電流サンプリングの瞬間を有することによって測定される。
【００９８】
電源ユニットの供給が、当該過電力保護モードに陥り、オフに切り替わることになる程度まで、又は、そのようなことになる時間にわたって、測定前の初期電力が、定格電力を超過する可能性が十分にある。
【００９９】
このことを防止するために、上述のように、単一のデューティサイクル周期において（すなわち、ＰＷＭ周波数で）、極めて素早くプラトー値を測定して、次の周期における電力測定に予め対処することが望ましい。このようにして、１ｋＨｚのＰＷＭ周波数の場合、電力を調整して戻すために２ｍｓを要することになり、これは、過電力保護を電源が採用することを防止するために十分に素早いものであり得る。しかしながら、このソリューションの否定的側面は、そのような短い測定期間が、不正確な結果をもたらす恐れがある点である。
【０１００】
複数の周期にわたる平均電流を取得すること、場合により、電源ユニットのリップル周波数をフィルタリングして除去することが、精度の改善をもたらすために使用されてもよい。プラトー測定は、単一のデューティサイクル周期内に留まり、システムは、各デューティサイクル周期の後に（例えば、移動平均を更新することによって）応答することができる。しかしながら、そのような複数の測定値が処理されるという利点が得られる。
【０１０１】
この延長された持続時間により、電源が当該過電力保護モードに陥ることを防止するために、電流プラトー測定値の平均化は、光レベルの増強中に実行されてもよい。そのような増強は、プラトーの高さではなく、デューティサイクルの長さにのみ影響を及ぼすことになる。
【０１０２】
例えば、（例えば）５０ｍｓの時間内での最小調光レベルから最大電力への光の増強を開始することによって、電源ユニットが当該過電力保護に切り替わるリスクを伴わずに、電流プラトーの双方の正確な値が得られる。５０ｍｓの期間内での増強は、眼には殆ど視認不可能である。
【０１０３】
次いで、新たな周期の間に得られたプラトー測定値の新たな各セットが、ますます正確になる移動平均のセットに加えられ、その一方で、システムは依然として、移動平均の更新の度に電力を調節することができる。それゆえ、照明構成の消費電力は、各デューティサイクル周期の速さで決定又は更新される。
【０１０４】
更には、負荷を緩やかに増大させることによって、電源の電圧は、当該出力電圧を調節するための時間を有することになり、結果として、電流寄与の正確な測定をもたらす。
【０１０５】
１つの可能な手法では、始動の間に、０％から最大８０％までの光出力の増強が実行されてもよい。１ｋＨｚの各周期の間に、電流は、約１００のサンプリングの瞬間で測定され、デューティサイクル周期の最後の１０％の間に、迅速な電圧測定が実行される。この時間中には、強度（及び、そのような最大デューティサイクル）が８０％に制限されているため、電流は流れず、それにより、各チャネルはゼロに設定される。
【０１０６】
このようにして、周期ごとの絶対電力が導出されることができる。次いで、最大増強強度が、制御又は制限されてもよい。最大強度は、例えば、１０ｍｓ以内に能動的に制限され始めてもよい。
【０１０７】
図５は、この一般的な手法を図式的に示す。
【０１０８】
左側の電流プロットの積み重ね体は、デューティサイクルの所望のセットの縮小バージョンである、デューティサイクルの第１のセットである。例えば、デューティサイクルの所望の組み合わせの、３％調光レベルのバージョンを含み得る。次いで、当該個々のデューティサイクル周期に関して、電流が監視される。
【０１０９】
デューティサイクルのセットのスケーリングは、例えば、右側の（時間的に後の）電流プロットの積み重ね体で示されるように、漸進的に増大される。
【０１１０】
図５は、測定タイミングの瞬間を、矢印のセット５０として示す。初期の３％調光レベルは、全てのプラトー値が測定されることができないほど低い恐れがある。
【０１１１】
図５は、下側の２つのプラトーに関して、１つの測定値が得られる場合の制限を示す。デューティサイクルが、より低い場合には（また実際に、図５は、３％よりも遥かに高いデューティサイクルを示すように誇張されている）、プラトーは見落とされることになる。
【０１１２】
そのような場合、初期の電力推定値は、単一のプラトー測定値のみに基づく可能性がある。測定されたプラトー値を、（既知の）最も長いデューティサイクルで乗算することによって、電力の過大推定が実施される可能性がある。デューティサイクルが増大されるにつれて、個々のプラトーが、図示のように測定可能となる。
【０１１３】
監視は、始動時に行われてもよく、オプションとしてまた、別の色点への遷移が実施される際に行われてもよい。
【０１１４】
図６は、上述の制御方法の一実施例を示すフローチャートである。
【０１１５】
ステップ６０で、所望の色点が入力され、ステップ６２で、所望の色点がデューティサイクルのセットに変換される。ステップ６２は、色モデルを利用して、所望の色点に至るようにデューティサイクルの比率を出力する。このことは、ユーザが所望の色点を設定することに関連している。
【０１１６】
ステップ６４で、ランプが電源投入される。
【０１１７】
ステップ６６で、ステップ６２からのデューティサイクルが、３％にスケーリングされる。
【０１１８】
ステップ６８で、第１のデューティサイクル周期における全ての可能な電流プラトー値が測定される。ステップ７０で、当該測定値に基づいて、負荷が推定される。
【０１１９】
この負荷推定は、ステップ７２で、最大デューティサイクル限界値を算出するために使用される。この最大値は、以下で説明されるように、漸進的に更新される。
【０１２０】
ステップ７４で、最大デューティサイクル限界値に既に達しているか否かが判定される。達している場合には、デューティサイクルは、決定された負荷と電源ユニットの定格負荷との比率によって、ステップ７６で全て低減される。最大値に達していない場合には、デューティサイクルは、ステップ７８で全て２％増大される。それゆえ、５０サイクルの後では、デューティサイクルは、抑制されていない限り、本来の目標レベルに達することになる。
【０１２１】
ステップ８０で、次のデューティサイクル周期における全ての可能なプラトー値が測定される。次いで、ステップ８２で、各プラトー値に関する移動平均が更新される。
【０１２２】
ステップ８４で、（１ｋＨｚで動作している場合、５０ｍｓの始動サイクルに関して）５０の全てのステップが実行されたか否かが判定される。５０サイクルが完了している場合には、平均プラトー値が格納され、照明構成は、得られたデューティサイクルレベルを使用して、ステップ８６で定常状態に制御される。
【０１２３】
５０サイクルが未だ完了していない場合には、負荷推定の更新がステップ８８で行われ、次いで、ステップ７２にフィードバックされて、更新された最大デューティサイクル情報が導出されることを可能にする。
【０１２４】
この方法の拡張態様では、個々のチャネルの電流寄与Ｉｉを導出して記憶することが可能である。３チャネルシステムを有する図５のグラフの実施例では、全てのプラトーは、測定されるために十分に長い持続時間を有してもよく、全ての電流値の寄与Ｉｉが、照明構成の始動の直後に決定されることができる。しかしながら、測定に要する時間量は限られたものとなり、デューティサイクルの差異が過度に小さく、かつＰＷＭ周波数が過度に高い場合には、特定の色（又は、デューティサイクルの組み合わせ）に関して、いくつかのプラトー値が決定されることができない可能性がある。それゆえ、測定されることができるのは、単一のプラトー値、又はプラトー値の縮小セットのみとなる可能性がある。明らかに、このことは、デューティサイクル周期内で実施される電流測定の回数、及び、異なるチャネルのデューティサイクル間の差異に依存する。
【０１２５】
近似値として、較正設定が、異なるチャネル間の電流比についての情報を与え、これは、異なるチャネルの電流寄与の推定値を得るために使用されることができる。より高い精度のために、新たなプラトー値が、測定されるために十分長くなるまで、エンドユーザが、光を別の色点（すなわち、デューティサイクルの異なる組み合わせ）に設定するまで、ルーチンは待機することができる。
【０１２６】
別の可能性は、追加の電流プラトーが確実に測定されることができるように、５０ｍｓの始動期間中に色温度設定を調節することである。例えば、監視は、最低色温度（２２００Ｋ）から開始して、増強の間に、２７００Ｋに（又は更に３５００Ｋに、次いで２７００Ｋに戻って）移動してもよい。これは、眼によって視認可能とはならないが、その場合、複数のプラトーが測定されることができる。
【０１２７】
３チャネルシステムに関しては、プラトー電流が構築されることが可能な、７つの異なる組み合わせが存在する。以下の表は、可能なプラトーレベルを、電流Ｉ１、Ｉ２、及びＩ３の組み合わせとして示す。
【０１２８】
【表１】
2021521616.tif 000003
【０１２９】
Ｉ１〜Ｉ７の全てが異なる値である場合には（このことは、Ｉ１、Ｉ２、及びＩ３が公倍数を有さない場合に当てはまることになる）、３つの構成成分を導出するために、任意の３つのプラトー測定値が使用されてもよい。
【０１３０】
最低調光設定が適用されている場合に、１つのプラトー測定値のみが存在している場合には、較正設定における電流比の知識が、推定値を導出するために使用されてもよい。例えば、単一のプラトー測定値で、Ｉ１＋Ｉ２＋Ｉ３が得られてもよく、較正設定は、例えば、Ｉ１＝２Ｉ２、及びＩ１＝Ｉ３の公称電流を示してもよい。次いで、３つの電流が得られてもよいが、ある程度の不確実性を伴う。
【０１３１】
プラトー値が決定されることが可能となる度に、プラトー値は表に記憶されることができる。３つの異なるプラトー値が測定されると直ちに（それらが電流の固有の組み合わせに関連していると仮定して）、３つの未知数を有する３つの等式が存在し、個々の電流値Ｉｉの全てが、より確実に算出されることができる。この段階に達すると、新たな色点の電力が、式（１）に基づいて算出されることができる。
【０１３２】
更により多くの原色を有するシステムに関しては、このことは、より複雑になるが、一般的に言えば、当該存続期間中に５０ｍｓにわたっていくつかの色点に切り替えられた照明構成は、Ｉｉの値が決定されるために十分である。それゆえ、表は、デューティサイクルの異なる開始の組み合わせを使用する、照明システムの多くの動作を介して完成される。
【０１３３】
この手順の別の利点は、電流値Ｉｉが、特定の期間の後に更新されることができる点である。ＬＥＤの温度又は経年変化により、これらの値は、初期値から逸脱し始めることになる恐れがある。従来の方式では、電流値Ｉｉの決定は、ライトの電源投入時にのみ行われる。接続されているライトが、常に給電されている場合には（例えば、全てのＰＷＭ＝０に設定することによってライトをオフに切り替えることによる）、これらの値は更新されることがない。
【０１３４】
上記の手法は、消費電力の算出を可能にするために、照明要素のサブセットによって引き込まれる種々の電流の決定を提供する。
【０１３５】
消費電力の推定は、本発明によれば、例えば、電源ユニットとＬＥＤ負荷との間、例えば電源ユニットと中間ＬＥＤドライバとの間のケーブル抵抗を少なくとも含めた、システム内のケーブルにおける抵抗損失を更に考慮することによって、より正確に実施されてもよい。
【０１３６】
図７は、システムが、別個の電源ユニット１１０、負荷ドライバ１１２、及びＬＥＤ負荷１１４を、どのように備え得るかを示す。ケーブル１１６及び１１８が、３つのモジュールを接続している。このモジュール式アーキテクチャでは、異なるＰＳＵに関して異なる公称電力レベルが存在してもよい。更には、負荷ドライバに接続される、異なる数のチャネルを有する異なる負荷が存在することになる。このことにより、負荷が変化するか、又はＰＳＵに変化が存在する場合には、これらの変化は、負荷がＰＳＵに損傷を与えることなく最大利用可能電力まで駆動されていることを確実にするために、上述のような始動シーケンスが再トリガされるように、検出されるべきである。更には、始動シーケンスはまた、ケーブル抵抗を決定するために使用されてもよい。
【０１３７】
図８は、図７のシステムを、より詳細に示す。電源ユニット１１０は、（所望のバス電圧である）出力電圧ＶＰＳＵを送達するＤＣ電圧源１２０、及び並列出力コンデンサ１２２として示されている。電源ユニットは、抵抗Ｒｃａｂｌｅ１を有するケーブル１１６を介して、負荷ドライバ１１２に接続している。負荷ドライバは、容量Ｃ１の並列コンデンサ１２４、及び、個々のＬＥＤチャネルのそれぞれに関するスイッチのセット１２５として表されている。この実施例では、５つのチャネルが存在しており、チャネル１は赤色（Ｒ）であり、チャネル２は緑色（Ｇ）であり、チャネル３は青色（Ｂ）であり、チャネル４は炎白色（ＦＷ）であり、チャネル５は冷白色（ＣＷ）である。図示のように、セット１２５内には各色に関するスイッチが存在している。電流感知抵抗器１２６は、全負荷電流を感知するためのものであり、抵抗Ｒｓｅｎｓｅを有する。
【０１３８】
負荷ドライバ１１２は、抵抗Ｒｃａｂｌｅ２を有するケーブル１１８によって、負荷に接続している。更には、各ＬＥＤチャネルは、Ｒｎとして示されるチャネル抵抗を有し、ｎは、１〜５のチャネル番号である。
【０１３９】
以下で詳細に論じられる一実施例では、上述の始動シーケンスは、Ｒｃａｂｌｅ１の推定値と、個々のチャネルのそれぞれのＲｎの推定値とを生成するように拡張されている。当該モデリングは、ＬＥＤの順方向電圧が既知であるという仮定の下で、抵抗値Ｒｎを算出するように、簡略化されている。
【０１４０】
このようにして、より正確な電力推定が可能にされる。この改善は、例えば、抵抗Ｒｃａｂｌｅ１が、Ｒｃａｂｌｅ２と比較して優勢である場合、すなわち、電源から負荷ドライバまでのケーブル長が、負荷ドライバから照明負荷までのケーブル長と比較して長い場合に、特に好適である。この改善された電力推定のバージョンはまた、容量Ｃ１及び容量Ｃ２も考慮に入れない。他の状況では、同様の方式で抵抗Ｒｃａｂｌｅ２を決定すること、及び／又は、容量値を考慮に入れることが好ましい場合がある。それゆえ、以下で説明される手法は、開示される手法に対して、追加的な電気的パラメータ又は特性の決定を可能にするように拡張されてもよい。
【０１４１】
抵抗Ｒｓｅｎｓｅは、典型的には、既知の値を有する。更には、この抵抗は、並列ＬＥＤ抵抗ＲｎがＲｓｅｎｓｅと同程度の大きさになるほど、多くのＬＥＤ負荷が接続されている場合にのみ、作用し始める。ＬＥＤ負荷が遥かに低い場合には、抵抗Ｒｎは、典型的には遥かに高く、Ｒｓｅｎｓｅは無視できる。
【０１４２】
次いで、抵抗値は、デューティサイクルの所与のセットに関する消費電力の、より完全な推定値を生成するために使用されてもよい。
【０１４３】
図９は、完全な始動シーケンスの一実施例を示すが、（図をより単純にするために）４チャネルシステムに関するものである。当該図は、ＬＥＤ負荷に供給される電流（Ｉ）、及び負荷電圧（Ｖ）を示す。
【０１４４】
当該図は、基本的な負荷決定機能に関して上述された方式と同じように、デューティサイクルが徐々に増大される（ただし、同じ比率を保つ）始動段階１３０を含む。この時間の間に、ＰＳＵ電力が増強され、電圧及び電流が、過電力供給を防止するために監視される。図示のように、次いで、電源ユニットの出力電圧が安定化したことを確実にするための、安定化段階１３２が存在する。始動段階１３０は、例えば、２００ｍｓの持続時間を有し、安定化段階は、６００ｍｓの持続時間を有する。
【０１４５】
ＡＣ−ＤＣコンバータが、典型的には、最初に幹線を整流する。５０Ｈｚの幹線に関しては、このことは、１００Ｈｚのリップルが導入されることを意味し、その一方で、６０Ｈｚに関しては、リップルは１２０Ｈｚである。１００Ｈｚ及び１２０Ｈｚの周期は、それぞれ、１０ｍｓ及び８．３３３ｍｓである。（上述のような）５０ｍｓの時間周期は、５回の完全な１００Ｈｚの周期、及び６回の完全な１２０Ｈｚの周期を取り込むことになる。それゆえ、これは、双方の周波数を平均するための最小時間であり、原則値であると見なされてもよい。
【０１４６】
２００ｍｓの始動段階は、そのような原則値の４つにわたる平均化をもたらす。
【０１４７】
次いで、２００回のデューティサイクルなどの、複数のデューティサイクルの周期に関する電流及び電圧のプロファイルを得るために、追加的な測定期間１３４が使用される。
【０１４８】
期間１３４に関する平均２００ｍｓの持続時間は、１００Ｈｚ又は１２０Ｈｚのリップルがフィルタリングされて除去されることを確実にする。
【０１４９】
図９は、例えば期間１３４の間のリップルのみを示す、簡略化された表現である。
【０１５０】
図１０は、この場合もまた４チャネルシステムに関する、１回のデューティサイクルに関する典型的な電圧及び電流の測定値を、経時的に示す。当該図は、ステップ電流が流れるチャネル（１〜４）を示している。それゆえ、４つの全てのステップがチャネル１に流れ、電流ステップのうちの３つがチャネル２に流れる、などである。
【０１５１】
始動時のステップ状波形の間の、電流及び電圧の双方を測定することによって、システムのＩ−Ｖ関係が得られることができ、これは、以下によって説明されることができる：
ＶＬＥＤ，ｐｌａｔｅａｕ＝ＶＰＳＵ−Ｒｃａｂｌｅ１＊Ｉｐｌａｔｅａｕ      （３）
【０１５２】
ＶＰＳＵは、ＰＳＵによって送達される一定の駆動電圧である。ＶＬＥＤ，ｐｌａｔｅａｕは、電流プラトーの間に負荷ドライバ１１２によって送達される電圧であり（すなわち、図１２に示されるＶＬＥＤのステップのうちの１つであり）、Ｉｐｌａｔｅａｕは、対応する電流である。この関係は、第２のケーブル抵抗Ｒｃａｂｌｅ２を考慮に入れていないため、電圧は、実際のＬＥＤストリングの両端間の電圧ではなく、ケーブル抵抗Ｒｃａｂｌｅ２及び抵抗Ｒｎの両端間の電圧でもある。
【０１５３】
この関係は、Ｒｃａｂｌｅ１が決定されることを可能にする。
【０１５４】
上述のように、測定された電流プラトーに基づいて、個々のＬＥＤチャネルの寄与が得られる。更には、ＬＥＤチャネルの抵抗が、以下のように得られてもよい。
Ｒｔｏｔａｌ＿ｎ＝Ｖｘ／Ｉｎ      （４）
【０１５５】
Ｒｔｏｔａｌ＿ｎは、直列抵抗ＲｎとＬＥＤの完全なストリングとを組み合わせた、チャネルｎに関する直列抵抗の表現であり、Ｉｎは、当該チャネルを通る電流である。電圧Ｖｘは、負荷ドライバ１１２において測定され、図８に示されている。抵抗Ｒｎの決定はまた、ＶｘからＬＥＤストリング電圧を減算することによって、物理的抵抗Ｒｎの実際の値に、より近くなるようにされることもできる。
【０１５６】
電流プラトーの完全なセットは、全てのＲｎ値が得られることが可能な、連立方程式のセットを与える。求解は単一のプラトーから開始し、このようにして、等式のセットが単純な方式で解かれることができる。
【０１５７】
通常動作の間に、色変化が要求される場合、新たな電力推定値を導出するためにモデルが使用されてもよい。上述のように、デューティサイクルの所与のセット［Ｄ１...Ｄｎ］に関しては、各プラトーに関していずれのＬＥＤがオンであるかが既知である。
【０１５８】
それゆえ、プラトーのそれぞれに関する等価抵抗が得られることができ、またＲｃａｂｌｅ１の推定値も存在しているため、ＰＳＵ出力ＶＰＳＵによって観察される総抵抗が既知となる：
Ｉｐｌａｔｅａｕ，ｎ＝（ＶＰＳＵ−Ｖｆ）／Ｒｔｏｔａｌ      （５）
【０１５９】
Ｖｆは、ＬＥＤの順方向ストリング電圧である。全ての異なる並列ストリングに関する順方向電圧は、同じであると仮定されることができる。これは、Ｖｆの広がりの変動が小さいため、有効な近似値である。
Ｒｔｏｔａｌ＝Ｒｃａｂｌｅ１＋Ｒｃａｂｌｅ２＋Ｒｅｑ＋Ｒｓｅｎｓｅ      （６）
【０１６０】
Ｒｅｑ＝１／Σ（１／Ｒｊ）であり、ｊは、アクティブなＬＥＤである
次いで、電力推定値が、以下によって与えられる
Ｐｅｓｔｉｍａｔｅ＝ＣＦ．Σ（ＤＣｎ＊Ｉｐｌａｔｅａｕ，ｎ＊ＶＰＳＵ）      （７）
【０１６１】
この電力推定値は、以下で説明される補正係数ＣＦを含む。詳細に説明されているシステムのバージョンでは、値Ｒｃａｂｌｅ２は考慮されない。
【０１６２】
電流Ｉｐｌａｔｅａｕ，ｎは、アクティブなＬＥＤチェーンにおける抵抗Ｒｎに基づく、総抵抗Ｒｔｏｔａｌに関連付けられている。このことは、以下で更に説明される。
【０１６３】
図１１は、電力推定方法を、より詳細に示す。
【０１６４】
ステップ１４０で、アナログ−デジタルコンバータの出力として、負荷ドライバ内の電圧Ｖｘが測定される。ステップ１４２で、最大値が算出される。この最大値は、バス電圧と見なされてもよい、電源ユニットの出力電圧ＶＰＳＵの最も近い近似値である。電流が流れない（例えば、低デューティサイクルを有する始動期間中には、電流が流れない期間が、またそれゆえ抵抗Ｒｃａｂｌｅ１の両端間の電圧降下が生じない期間が、存在することになる）場合には、負荷コントローラにおける測定電圧Ｖｘは、電源出力電圧ＶＰＳＵに等しくなる。
【０１６５】
ステップ１４４で、幹線リップルを平均するために、最大電圧の移動平均が得られる。この平均値は、ステップ１４６の電力推定計算に対する第１の入力として提供される。
【０１６６】
デューティサイクル設定が、ステップ１４８で、計算されたケーブル抵抗Ｒｃａｂｌｅ１及び個々の抵抗Ｒｎと共に、電力推定計算に提供される。
【０１６７】
デューティサイクルに基づいて、値Ｖｍａｘ，ａｖｇ、及び種々の抵抗Ｒｎの値を使用することで、いくつのプラトーが存在するか、各プラトーに関していずれのＬＥＤがオンであるか、及び、各プラトーがどの程度長く持続するかが決定されることができる。この情報を使用して、各プラトーに関する抵抗Ｒｅｑが決定されることができ、電流が計算されることができる。
【０１６８】
プラトーについての情報は、デューティサイクル値からＰＷＭ形状を再構築することによって得られる。この再構築は、ＰＷＭ信号のタイプに依存することになる。例えば、図９は、デューティサイクルが全て左から積み重ねられているＰＷＭ構造を示す。デューティサイクルは、右側から積み重ねられてもよく、又は、異なるデューティサイクル信号が、両側から積み重ねられてもよい。
【０１６９】
使用されているＰＷＭ手法の知識に基づいて、デューティサイクル値は、電流波形の形状が決定されることを可能にし、それゆえ、種々のタイミング瞬間における電流測定値は、アクティブなＬＥＤセグメントの種々の組み合わせに関連付けられることができる。
【０１７０】
上述のように、測定された各電流プラトーに関して、いずれのＬＥＤがオンであるかが既知となると、電力推定値が、上記の等式で示されるように得られることができる。
【０１７１】
電力推定値は、各プラトーに関して存在している総抵抗Ｒｔｏｔａｌを算出して、プラトー電流、電圧、及びプラトー持続時間の積の合計として電力を得ることに基づく。
【０１７２】
プラトー電流は、ＬＥＤストリング電圧Ｖｆの知識を使用して決定される。
【０１７３】
電流プラトー値の全ての組み合わせが測定されるものではない点に留意されたい。例えば、図９に示される階段波形のみが測定され、これは以下のようなプラトーのサブセットを含む：
赤色
赤色＋緑色
赤色＋緑色＋青色
赤色＋緑色＋青色＋炎白色
赤色＋緑色＋青色＋炎白色＋冷白色
それゆえ、赤色＋緑色＋炎白色の組み合わせは、直接測定されてはいない。
【０１７４】
寄与しているチャネルが多くなるほど（すなわち、電流ピークが高くなるほど）、電圧降下が大きくなる。測定された電流プラトーから抵抗値を決定することによって、電流ピークの予測が得られることができる。抵抗は、電圧降下とは無関係であるため、電流ピークの正確な予測を実施するために使用されることができる。
【０１７５】
図１１は、ＶＰＳＵを算出するための１つの特定の方法を利用している点に留意されたい。代替的方法は、ＶＰＳＵ＝Ｖｘ＋Ｉｐｌａｔｅａｕ，ｎ＊Ｒｃａｂｌｅ１を算出することであり、Ｖｘは、対応するプラトーの時間における電圧である。
【０１７６】
上述のように、及び等式（７）で示されるように、推定値は、補正係数ＣＦでスケーリングされる。
【０１７７】
新たな色設定が適用されることになる度に、新たな電力推定値が得られるが、又は、さもなければ、１秒ごとになど、定期的に算出が実施されてもよい。算出は、例えば、２００ｍｓの期間にわたる移動平均電流値及び電圧値に基づく。
【０１７８】
補正係数ＣＦは、実際の電力を測定して、推定された電力と比較することに基づいて更新される。このようにして、補正係数は更新され続け、新たな電力推定値が所望される場合は、直近の値が使用される。
【０１７９】
このようにして、システムは、温度ドリフト及び小さい負荷変動を考慮する補償係数を導出するために、適用されることになる既知のデューティサイクルと得られたモデルパラメータとに基づいて予測された総電力を、実際の総消費電力と比較する。
【０１８０】
次いで、補正された電力推定値に基づいて、デューティサイクルのスケーリングが決定される。補正係数は、秒の時間スケールで算出される。例えば、実際の測定電力と推定電力との差異は、約１０秒以内に収束するべきであり、それにより、電源ユニットは、過度に長い間、過電力供給状態とならない。
【０１８１】
抵抗器と直列のＬＥＤを有するシステムでは、ＬＥＤを通る電流は、ＬＥＤにわたる電圧に依存する。電源ユニットの電圧からＬＥＤの電圧を差し引いたものが、上記の等式で示されるように、抵抗器にわたる電圧である。
【０１８２】
システムが全出力で動作しているとき、ＬＥＤが昇温して、ＬＥＤの順方向電圧が低下することになる。その結果、抵抗器にわたる電圧が増大することになり、それと共に、ＬＥＤを通る電流もまた増大することになる。この生じた偏差もまた、補正係数によって補償される。
【０１８３】
通常は、ライトがオフに切り替えられた後に、再びオンに切り替えられると、その間に、システムを冷却させるための実質的な時間が存在する。当該仮定の下では、温度に起因して補正係数が変更されているはずはなく、それゆえ、補正係数は、電力の切り替えの後にリセットされる。
【０１８４】
実際の電力の測定はまた、電源ユニットを保護するためにも使用される。
【０１８５】
図１２は、どのようにして始動シーケンスがトリガされるかを示すための、フローチャートである。
【０１８６】
ステップ１５０で、システムが電源投入される。
【０１８７】
ステップ１５２で、状態フラグを確認することによって、始動シーケンスが既に実行されているか否かが確認される。始動シーケンスは、図９に示されている全プロセスである。
【０１８８】
始動シーケンスが未だ存在していない場合には、ステップ１５４で始動シーケンスが実行され、その後、システムは、ステップ１５６での通常動作へと進む。ステップ１５２で始動シーケンスが存在していた場合にも、本方法はまた、ステップ１５６に進む。
【０１８９】
次いで、ステップ１５８で、負荷一貫性が定期的に確認される。負荷の変動がない場合、本方法は、ステップ１５６に戻り、その一方で、負荷の変化が検出された場合には、ステップ１５４で始動シーケンスが再トリガされる。
【０１９０】
補正係数もまた、始動シーケンスの繰り返しをトリガするために使用されてもよく、すなわち、ステップ１４８は、補正係数の分析を含んでもよい。
【０１９１】
最初に、実際の電力を算出する際、実際の電力が、最大電力に関連する閾値を超過する場合には（すなわち、定格最大電力に割り当てられている安全マージンを超過する場合には）、又は、補正係数が特定のレベルを超過する（すなわち、推定電力と測定電力との差が過度に大きい）場合には、始動シーケンスがトリガされる。
【０１９２】
始動は、例えば、最大電力のパラメータＭａｘ＿ｔｈｒｅｓｈｏｌｄ倍によってトリガされてもよく、例えば、Ｍａｘ＿ｔｈｒｅｓｈｏｌｄ＝１．２である。それゆえ、補正係数に基づいて新たな始動シーケンスをトリガするために、緩徐なドリフトが使用されてもよく、又は、さもなければ、推定電力と測定電力との偏差が使用されてもよい。
【０１９３】
完全な始動シーケンスがトリガされることにより、視認可能な点滅をもたらす。このことは、５０ｍｓの最短測定期間を有することによって低減されてもよい。
【０１９４】
始動シーケンス及び算出の一実施例が上述されてきたが、他のシーケンスも可能である。
【０１９５】
始動シーケンスの間に得られたこの情報は、他の目的のために使用されてもよい。
【０１９６】
ＬＥＤストリングを通る電流を制限するために抵抗器Ｒが使用される、上述のような低コストの電圧ベースの照明システムでは、光出力の安定性は、入力電圧の安定性に大きく依存する。不安定性を引き起こし得る例は、リップル電圧、近傍の大型機械の切り替えのような外部要因又は負荷ステッピングに起因する電源自体による電圧変動による電圧ディップ、あるいは制御アルゴリズムである。
【０１９７】
これらの電圧変動は、光出力において視認可能となり得る。上記の手法は、種々の電流寄与が既知であることを意味する。電圧の変化、またそれゆえ電流の変化は、デューティサイクルのセットを変化させることによって補償されることができ、それにより、光出力は変化しないまま維持される。
【０１９８】
ＤＣ電圧は、例えば、２４Ｖであってもよく、これは、１０％、すなわち２．４Ｖ変動し得る。図２の抵抗器Ｒが、電圧供給のうちの６Ｖを取り込む場合には、ＬＥＤを通る電流は、電圧の変化が抵抗器によって取り込まれると仮定すると、３５％（２．４／６＝０．３５）変化することになる。
【０１９９】
高力率照明規制に準拠する単段トポロジの低コスト電源は、典型的には、最大で＋／−１Ｖの著しい電圧リップルを示す。
【０２００】
更には、出力電圧における他のアーチファクトもまた、光出力において即座に視認可能である。例は、幹線入力電圧の急激な増大／減少に起因する電圧ステップ、すなわち、照明デバイスの近傍の大型機械がオン又はオフに切り替えられる場合の電圧ステップ、並びに、電源自体によって誘起される電圧ステップである。一部の制御ＩＣは、電圧が公称電圧から過度に大きく離れてドリフトしている場合に、高帯域幅の（すなわち、急速な）調整を提示する。電圧が、特定の閾値を越える場合には、この高帯域幅制御が開始され、電圧は、極めて急速に公称値に戻るように制御される。このこともまた、電圧のステップをもたらす。
【０２０１】
この閾値を越えることの効果が、図１３に示されている。上部のプロットは、時間に対するＬＥＤ電流を示す。下部のプロットは、電圧を示す。公称値（この実施例では、２４Ｖ）を上回る閾値又は下回る閾値に達する場合に、急速な補正制御が９０で存在しており、その結果、電流ステップを、またそれゆえ視認可能な光グリッチを、１６０でもたらす。光度曲線の非線形性は、視認されることができないが、眼は、光出力の急激な変化又はステップに対して、極めて敏感である。
【０２０２】
このタイプのアーチファクトは、全てのＬＥＤを通って流れる全電流を監視して、電源の公称電圧に基づく予想電流からの、あらゆる偏差に即座に対処することによって、回避されることができる。
【０２０３】
追加的手法は、平均光束が可能な限り一定に維持されるように、全てのチャネルのデューティサイクルを増大／減少させることによって、電流のステップを補償することである。電圧／電流のステップは（保護制御の一部として所望されるため）防止されないが、感知不可能となる。
【０２０４】
光のグリッチの原因となるのは電源の電圧であるが、光束は電流に直接関連しているため、（上述のように）電流が監視される。更には、上記で示されたように、電圧の１０％の変化が、電流の３５％の変化をもたらすことになるため、電圧のステップもまた、電流を測定することによって、より容易に検出される。
【０２０５】
光出力は、駆動パルスの長さに電流を掛けたものに等しいため、プラトー電流のディップは、一定の光束に関する要件φを示す以下の式に従って、デューティサイクルを増大させることによって補償されてもよい：
φ＝ＤＣｏｌｄ＊Ｉｐｌａｔｅａｕ，ｃａｌｃ＝ＤＣｎｅｗ＊Ｉｐｌａｔｅａｕ，ｍｅａｓ      （８）
ＤＣｎｅｗ＝ＤＣｏｌｄ＊｛Ｉｐｌａｔｅａｕ，ｃａｌｃ／Ｉｐｌａｔｅａｕ，ｍｅａｓ｝      （９）
【０２０６】
ＤＣｏｌｄは、従前のデューティサイクルであり、Ｉｐｌａｔｅａｕ，ｃａｌｃは、従前に算出されたプラトー電流である。これは、公称電圧における基準プラトー値となる。ＤＣｎｅｗは、新たなデューティサイクルであり、Ｉｐｌａｔｅａｕ，ｍｅａｓは、（電圧の変化によって引き起こされた）新たに測定されたプラトー電流である。
【０２０７】
図１４は、より良好な理解のために、補正メカニズムを段階的シーケンスとして示す。電圧は、線１７０によって示される。７つの連続する電流波形が示され、Ａ〜Ｇでラベル付けされている。
【０２０８】
時間Ａにおいて、照明構成は定常状態にある。
【０２０９】
時間Ｂにおいて、電圧遷移の開始が存在する。結果として生じる電流変化は、時間Ｃにおいて検出される。
【０２１０】
時間Ｄにおいて、デューティサイクルが（矢印１７２によって示されるように）増大されており、更なる電流降下が検出される。時間Ｅにおいて、デューティサイクルが再び増大されており（１７４）、更なる電流降下が検出される。
【０２１１】
時間Ｆにおいて、デューティサイクルは増大されているが（１７６）、公称レベルに復帰する電流が検出される。時間Ｇにおいて、デューティサイクルは、その場合の定常状態の駆動条件に対応する、元のレベルに戻される。
【０２１２】
補償メカニズムは、実際の信号に対して、１回のデューティサイクル周期で遅延している。
【０２１３】
本発明は、（エンドユーザ、又は照明システムのコミッショニング担当者であり得る）顧客が、固定定格電力の電源を有するシステムに、種々の負荷を取り付けることが可能なシステムを、関心対象としている。電源は、その場合、別個の構築ブロックである。これらのシステムの例は、エンドユーザ延長可能なＬＥＤストリップ、又は、照明器具内の構築ブロックとして使用されるＬＥＤストリップである。あるいは、単一のドライバを共有し、かつ追加ユニットがエンドユーザによって追加されることが可能な、埋め込み型スポット又はダウンライトが、別の例である。
【０２１４】
上記で論じられたように、説明された計算を実行するために、コントローラが使用される。コントローラは、必要とされる様々な機能を実行するために、ソフトウェア及び／又はハードウェアを使用して、数多くの方法で実装されることができる。プロセッサは、必要とされる機能を実行するように、ソフトウェア（例えば、マイクロコード）を使用してプログラムされてもよい、１つ以上のマイクロプロセッサを採用する、コントローラの一例である。しかしながら、コントローラは、プロセッサを採用して、又はプロセッサを採用せずに実装されてもよく、また、一部の機能を実行するための専用ハードウェアと、他の機能を実行するためのプロセッサ（例えば、１つ以上のプログラムされたマイクロプロセッサ、及び関連回路）との組み合わせとして実装されてもよい。
【０２１５】
本開示の様々な実施形態で採用されてもよいコントローラ構成要素の例としては、限定するものではないが、従来のマイクロプロセッサ、特定用途向け集積回路（application specific integrated circuit；ＡＳＩＣ）、及びフィールドプログラマブルゲートアレイ（field-programmable gate array；ＦＰＧＡ）が挙げられる。
【０２１６】
様々な実装形態では、プロセッサ又はコントローラは、ＲＡＭ、ＰＲＯＭ、ＥＰＲＯＭ、及びＥＥＰＲＯＭなどの、揮発性及び不揮発性のコンピュータメモリなどの、１つ以上の記憶媒体と関連付けられてもよい。これらの記憶媒体は、１つ以上のプロセッサ及び／又はコントローラ上で実行されると、必要とされる機能を実行する、１つ以上のプログラムでエンコードされてもよい。様々な記憶媒体は、プロセッサ又はコントローラ内に固定されてもよく、あるいは、当該記憶媒体上に記憶されている１つ以上のプログラムが、プロセッサ又はコントローラ内にロードされることができるように、可搬性であってもよい。
【０２１７】
図面、本開示、及び添付の請求項の検討によって、開示される実施形態に対する他の変形形態が、当業者により理解されることができ、また、特許請求される発明を実施する際に実行されることができる。請求項では、単語「備える（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。請求項中のいかなる参照符号も、範囲を限定するものとして解釈されるべきではない。
【図１】
2021521616.tif 000004
【図２】
2021521616.tif 000005
【図３】
2021521616.tif 000006
【図４】
2021521616.tif 000007
【図５】
2021521616.tif 000008
【図６】
2021521616.tif 000009
【図７】
2021521616.tif 000010
【図８】
2021521616.tif 000011
【図９】
2021521616.tif 000012
【図１０】
2021521616.tif 000013
【図１１】
2021521616.tif 000014
【図１２】
2021521616.tif 000015
【図１３】
2021521616.tif 000016
【図１４】
2021521616.tif 000017
【国際調査報告】
2021521616.tif 000018
2021521616.tif 000019